(57)【要約】【課題】光線路の障害を迅速かつ正確に検出することが可能な光線路監視システムを実現すること。【解決手段】光線路監視システム１０は、光線路２０に対して監視光を送出し、当該光線路２０に生じた戻り光の強度を測定するＯＴＤＲ１１０と、ＯＴＤＲ１１０によって第１の分解能で測定された上記強度に基づいて、光スプリッタ３０の位置を検出する分岐位置検出部２２０と、ＯＴＤＲ１１０によって第２の分解能で部分的に測定された、光スプリッタ３０の位置以後の区間の上記強度に基づいて、当該区間の障害を検出する第１障害検出部２３２とを備える。【選択図】図１
2013134138.tif 000002
【特許請求の範囲】
【請求項１】
１本の幹線と複数の枝線とが光スプリッタを介して接続された光線路を監視する光線路監視システムであって、
前記光線路に対して監視光を送出し、当該光線路において生じた戻り光の強度を測定する測定手段と、
前記測定手段によって第１の分解能で測定された、前記光線路において生じた戻り光の強度に基づいて、前記光スプリッタの位置を検出する分岐位置検出手段と、
前記測定手段によって前記第１の分解能よりも高い第２の分解能で測定された、前記光スプリッタの位置を基準とする前記複数の枝線の各測定区間において生じた戻り光の強度に基づいて、前記複数の枝線の各測定区間の障害を検出する第１の障害検出手段と
を備えることを特徴とする光線路監視システム。
【請求項２】
前記複数の枝線の各測定区間の前記光スプリッタ側の端点は、前記光スプリッタから所定の長さ離間した位置である
ことを特徴とする請求項１に記載の光線路監視システム。
【請求項３】
前記測定手段によって測定された、前記光スプリッタの位置を基準とする前記幹線の測定区間において生じた戻り光の強度に基づいて、前記幹線の測定区間の障害を検出する第２の障害検出手段をさらに備え、
前記第２の障害検出手段は、
前記第１の障害検出手段によって、前記複数の枝線の各測定区間において生じた戻り光の強度が全て低下したことが検出された場合、前記幹線の測定区間の障害を検出する処理を実行する
ことを特徴とする請求項１または２に記載の光線路監視システム。
【請求項４】
前記測定手段によって前記第２の分解能で測定された、前記複数の枝線の各測定区間において生じた戻り光の強度に基づいて、前記複数の枝線の各終端位置を検出する終端位置検出手段をさらに備え、
前記第１の障害検出手段は、
前記測定手段によって前記第２の分解能で測定された、前記複数の枝線の各終端位置において生じた戻り光の強度に基づいて、前記複数の枝線の各測定区間の障害を検出する
ことを特徴とする請求項１から３のいずれか一項に記載の光線路監視システム。
【請求項５】
１本の幹線と複数の枝線とが光スプリッタを介して接続された光線路を監視する光線路監視装置であり、前記光線路に対して監視光を送出し、当該光線路において生じた戻り光の強度を測定する測定手段を有する測定装置と接続された光線路監視装置であって、
前記測定手段によって第１の分解能で測定された、前記光線路において生じた戻り光の強度に基づいて、前記光スプリッタの位置を検出する分岐位置検出手段と、
前記測定手段によって前記第１の分解能よりも高い第２の分解能で測定された、前記光スプリッタの位置を基準とする前記複数の枝線の各測定区間において生じた戻り光の強度に基づいて、前記複数の枝線の各測定区間の障害を検出する第１の障害検出手段と
を備えることを特徴とする光線路監視装置。
【請求項６】
１本の幹線と複数の枝線とが光スプリッタを介して接続された光線路を監視する光線路監視方法であって、
前記光線路に対して監視光を送出し、当該光線路において生じた戻り光の強度を第１の分解能で測定する第１の測定工程と、
前記第１の測定工程で測定された、前記光線路において生じた戻り光の強度に基づいて、前記光スプリッタの位置を検出する分岐位置検出工程と、
前記光線路に対して監視光を送出し、前記光スプリッタの位置を基準とする前記複数の枝線の各測定区間において生じた戻り光の強度を、前記第１の分解能よりも高い第２の分解能で測定する第２の測定工程と、
前記第２の測定工程で測定された、前記複数の枝線の各測定区間において生じた戻り光の強度に基づいて、前記複数の枝線の各測定区間の障害を検出する第１の障害検出工程と
を含むことを特徴とする光線路監視方法。
【請求項７】
コンピュータを請求項５に記載の光線路監視装置として機能させるためのプログラムであって、前記コンピュータを前記光線路監視装置が備える前記各手段として機能させるプログラム。
【発明の詳細な説明】
【技術分野】
【０００１】
本発明は、光線路を監視する光線路監視システム、およびこのような光線路監視システムに用いられる光線路監視装置、光線路監視方法、およびプログラムに関する。
【背景技術】
【０００２】
センタと各家庭とを接続するアクセスネットワークとして、近年、ＦＴＴＨ（Fiber To The Home）が普及している。ＦＴＴＨは、センタから各家庭までの伝送路を全光化したアクセスネットワークであり、高速かつ広帯域な放送／通信環境を提供することができる。ＦＴＴＨにおいて、センタから引き出された幹線光ファイバは、通常、クロージャに格納された光スプリッタにより分岐され、各家庭に引き込まれる。このように、光スプリッタを用いて実現されたPoint to Multi-Point型のＦＴＴＨは、光スプリッタが受動素子であることに因んで、ＰＯＮ（Passive Optical Network）と呼ばれる。
【０００３】
ＰＯＮは、伝送路が光ファイバと光スプリッタとのみによって構成されるため、故障による障害が発生し難い頑健なシステムである。しかしながら、センタと光スプリッタとを繋ぐ幹線光ファイバに断線等の故障が発生した場合、その光スプリッタに接続された全家庭に影響が及び、幹線光ファイバの再敷設などの復旧作業にも多大な時間を要する。したがって、ＣＡＴＶ（Cable Television, Common Antenna Television, Community Antenna Television）のように、長期間に亘る放送／通信の中断が許容されないシステムへの適用に際しては、ＯＴＤＲ（Optical Time Domain Reflectometer：光パルス試験器）等を用いて幹線光ファイバを監視するなどの障害対策が必要になる。
【０００４】
例えば、下記特許文献１には、ＯＴＤＲ等の測定装置を用いた光伝送線路監視システムが開示されている。特許文献１に記載の光伝送線路監視システムにおいては、光ファイバに光パルスを入射し、その戻り光を受光した時間に基づく距離と、その距離における戻り光の光強度とに基づいて、光パルスの損失量または反射減衰量を算出し、算出した損失量または反射減衰量に基づいてアラームの出力の制御を行う構成が採用されている。
【０００５】
また、下記特許文献２には、ＯＴＤＲを用いた光線路試験システムが開示されている。特許文献２に記載の光線路試験システムにおいては、単一のＯＴＤＲから試験用光パルスを出射し、複数の光線路からの反射波を光カプラで合波し、その合成された反射波に現れる各光線路の波形ピークをモニタすることにより、各光線路の故障発生を特定する構成が採用されている。
【先行技術文献】
【特許文献】
【０００６】
【特許文献１】特開２００８−３０６８号公報
【特許文献２】特開平１０−１７０３９６号公報
【発明の概要】
【発明が解決しようとする課題】
【０００７】
しかしながら、ＰＯＮ方式のアクセスネットワークでは、光線路の始端（センタ）から終端（各加入者宅）までの光路長が数ｋｍ〜数１０ｋｍと比較的長く、特に始端（センタ）から光スプリッタまでの幹線光ファイバの光路長が長くなっている。このため、ＰＯＮ方式のアクセスネットワークに対して、上記特許文献１，２に記載されているように、光線路の略全区間に亘って各地点において生じた戻り光を測定する構成を採用した場合、測定時間が増加する虞がある。特に、光線路における障害の検出精度を高めるために、測定処理の分解能を高めようとした場合、測定時間がさらに増加してしまう虞がある。
【０００８】
本発明は、光線路の障害を迅速かつ正確に検出することが可能な光線路監視システムを実現することにある。
【課題を解決するための手段】
【０００９】
上述した課題を解決するため、本発明に係る光線路監視システムは、１本の幹線と複数の枝線とが光スプリッタを介して接続された光線路を監視する光線路監視システムであって、前記光線路に対して監視光を送出し、当該光線路において生じた戻り光の強度を測定する測定手段と、前記測定手段によって第１の分解能で測定された、前記光線路において生じた戻り光の強度に基づいて、前記光スプリッタの位置を検出する分岐位置検出手段と、前記測定手段によって前記第１の分解能よりも高い第２の分解能で測定された、前記光スプリッタの位置を基準とする前記複数の枝線の各測定区間において生じた戻り光の強度に基づいて、前記複数の枝線の各測定区間の障害を検出する第１の障害検出手段とを備えることを特徴とする。
【００１０】
本発明によれば、第１の分解能での測定により光スプリッタの位置を検出してから、当該光スプリッタの位置を基準とする複数の枝線の各測定区間において生じた戻り光の強度を第２の分解能で部分的に測定するため、短時間かつ高精度で、光線路の障害を検出することができる。
【００１１】
また、実測データに基づいて光スプリッタの位置を自動的に検出するため、ユーザによる事前設定の手間を不要としつつ、光スプリッタの位置を高精度で設定することができる。
【００１２】
上記光線路監視システムにおいて、前記複数の枝線の各測定区間の前記光スプリッタ側の端点は、前記光スプリッタから所定の長さ離間した位置であることが好ましい。
【００１３】
この構成によれば、光スプリッタの位置において生じた戻り光の強度の測定値によって光スプリッタの位置を、障害発生位置や光線路の終端位置等として誤って認識してしまう等、障害検出処理における誤判断を防ぐことができる。
【００１４】
また、上記光線路監視システムにおいて、前記測定手段によって測定された、前記光スプリッタの位置を基準とする前記幹線の測定区間において生じた戻り光の強度に基づいて、前記幹線の測定区間の障害を検出する第２の障害検出手段をさらに備え、前記第２の障害検出手段は、前記第１の障害検出手段によって、前記複数の枝線の各測定区間において生じた戻り光の強度が全て低下したことが検出された場合、前記幹線の測定区間の障害を検出する処理を実行することが好ましい。
【００１５】
この構成によれば、光線路の各枝線の障害だけでなく、光線路の幹線の障害も検出することができる。特に、光線路の幹線の障害が発生した場合のみ、この障害を検出する処理を行うため、この障害が発生していないときの処理負荷を軽減することができる。
【００１６】
また、上記光線路監視システムにおいて、前記測定手段によって前記第２の分解能で測定された、前記複数の枝線の各測定区間において生じた戻り光の強度に基づいて、前記複数の枝線の各終端位置を検出する終端位置検出手段をさらに備え、前記第１の障害検出手段は、前記測定手段によって前記第２の分解能で測定された、前記複数の枝線の各終端位置において生じた戻り光の強度に基づいて、前記複数の枝線の各測定区間の障害を検出することが好ましい。
【００１７】
光線路の障害は、その発生場所を問わず、その終端位置で生じる反射光の強度に影響を及ぼす。この構成によれば、光線路の終端位置で生じた反射光の強度に基づいて障害を検出するため、光線路のいずれの地点で障害が発生した場合でも、確実にこの障害を検出することができる。特に、実測データに基づいて光線路の終端位置を自動的に検出するため、ユーザによる事前設定の手間を不要としつつ、光線路の終端位置を高精度で設定することができる。
【００１８】
また、本発明に係る光線路監視装置は、１本の幹線と複数の枝線とが光スプリッタを介して接続された光線路を監視する光線路監視装置であり、前記光線路に対して監視光を送出し、当該光線路において生じた戻り光の強度を測定する測定手段を有する測定装置と接続された光線路監視装置であって、前記測定手段によって第１の分解能で測定された、前記光線路において生じた戻り光の強度に基づいて、前記光スプリッタの位置を検出する分岐位置検出手段と、前記測定手段によって前記第１の分解能よりも高い第２の分解能で測定された、前記光スプリッタの位置を基準とする前記複数の枝線の各測定区間において生じた戻り光の強度に基づいて、前記複数の枝線の各測定区間の障害を検出する第１の障害検出手段とを備えることを特徴とする。
【００１９】
本発明によっても、上記光線路監視システムと同様の効果を奏することができる。
【００２０】
また、本発明に係る光線路監視方法は、１本の幹線と複数の枝線とが光スプリッタを介して接続された光線路を監視する光線路監視方法であって、前記光線路に対して監視光を送出し、当該光線路において生じた戻り光の強度を第１の分解能で測定する第１の測定工程と、前記第１の測定工程で測定された、前記光線路において生じた戻り光の強度に基づいて、前記光スプリッタの位置を検出する分岐位置検出工程と、前記光線路に対して監視光を送出し、前記光スプリッタの位置を基準とする前記複数の枝線の各測定区間において生じた戻り光の強度を、前記第１の分解能よりも高い第２の分解能で測定する第２の測定工程と、前記第２の測定工程で測定された、前記複数の枝線の各測定区間において生じた戻り光の強度に基づいて、前記複数の枝線の各測定区間の障害を検出する第１の障害検出工程とを含むことを特徴とする。
【００２１】
本発明によっても、上記光線路監視システムと同様の効果を奏することができる。
【００２２】
また、本発明に係るプログラムは、コンピュータを上記光線路監視装置として機能させるためのプログラムであって、上記コンピュータを上記光線路監視装置が備える前記各手段として機能させるプログラムである。
【００２３】
本発明によれば、コンピュータが当該プログラムを実行することにより、上記光線路監視装置と同様の効果を奏することができる。
【発明の効果】
【００２４】
本発明によれば、第１の分解能での測定により光スプリッタの位置を検出してから、当該光スプリッタの位置を基準とする複数の枝線の各測定区間において生じた戻り光の強度を第２の分解能で部分的に測定するため、短時間かつ高精度で、光線路の障害を検出することができる。よって、光線路の障害を迅速かつ正確に検出することが可能な光線路監視システムを実現することができる。
【図面の簡単な説明】
【００２５】
【図１】実施形態に係る光線路監視システムの全体構成を示す図である。
【図２】実施形態に係る光線路監視装置の機能構成を示すブロック図である。
【図３】実施形態に係る光線路監視装置による処理の手順を示すフローチャートである。
【図４】実施形態に係るＯＴＤＲから出力された、光スプリッタ以後の区間の測定データの一例を示すグラフである。
【図５】実施形態に係るＯＴＤＲから出力された、光スプリッタ以前の区間の測定データの一例を示すグラフである。
【図６】初期設定処理において光スプリッタの位置が検出されたときに、光線路監視装置から出力される情報の一例（第１例）を示す。
【図７】初期設定処理において光スプリッタの位置が検出されたときに、光線路監視装置から出力される情報の一例（第１例）を示す。
【図８】初期設定処理において各光線路のフィルタの位置が検出されたときに、光線路監視装置から出力される情報の一例を示す。
【図９】第１の障害検出処理において光線路の障害が検出されたときに、光線路監視装置から出力される障害情報の一例を示す。
【図１０】第２の障害検出処理において光線路の障害が検出されたときに、光線路監視装置から出力される障害情報の一例を示す。
【図１１】初期設定処理において光スプリッタの位置が検出されたときに、光線路監視装置から出力される情報の一例（第２例）を示す。
【図１２】初期設定処理において光スプリッタの位置が検出されたときに、光線路監視装置から出力される情報の一例（第２例）を示す。
【発明を実施するための形態】
【００２６】
以下、本発明に係る実施形態について、図面を参照して説明する。
【００２７】
（光伝送システムの概要）
まず、実施形態に係る光伝送システム１０の概要について説明する。図１は、実施形態に係る光伝送システム１０の全体構成を示す図である。図１に示すように、光伝送システム１０は、ＯＬＴ１５、光線路２０、光スプリッタ３０、ＯＮＵ４０、および光線路監視システム５０を備えて構成されている。
【００２８】
この光伝送システム１０は、ＰＯＮ型のＦＴＴＨとして、インターネット回線やＣＡＴＶシステム等の通信ネットワークに組み込まれ、このような通信ネットワークにおいて、各種伝送データ（インターネットデータ、ＣＡＴＶデータ、通話データ等）の伝送機能を担うものである。
【００２９】
この光伝送システム１０では、各種伝送データの伝送媒体として信号光が用いられ、その伝送路である光線路２０として、光ファイバが用いられている。特に、光線路２０として、一本の光ファイバが用いられている。
【００３０】
特に、この光伝送システム１０は、局内に設けられたＯＬＴ（Optical Line Terminal：光加入者線終端装置）１５と、加入者宅内に設けられたＯＮＵ（Optical Network Unit：光加入者線ネットワーク装置）４０との間の光線路２０を、光スプリッタ３０で分岐することにより、ＯＬＴ１５とＯＮＵ４０とを１対多で接続するＰＤＳ（Passive Double Star）方式を採用している。
【００３１】
すなわち、光伝送システム１０では、ＯＬＴ１５と光スプリッタ３０とが１本の光線路２０（幹線）で接続されており、光スプリッタ３０と複数のＯＮＵ４０とが複数本の光線路２０（枝線）で接続されている。ここでは、ＯＬＴ１５と光スプリッタ３０とを接続する光線路２０を光線路２０ａとし、光スプリッタ３０とＯＮＵ４０とを接続する光線路２０を光線路２０ｂとしている。また、以降の説明では、光線路２０のうち、光スプリッタ３０よりもＯＮＵ４０側の区間を、「光スプリッタ３０以後の区間」と称し、光スプリッタ３０よりもＯＬＴ１５側の区間を、「光スプリッタ３０以前の区間」と称する場合がある。
【００３２】
光線路２０では、ＯＬＴ１５からＯＮＵ４０に信号光（以下、「下り信号光」と記載）を伝送することが可能である。反対に、ＯＮＵ４０からＯＬＴ１５に信号光（以下、「上り信号光」と記載）を伝送することも可能である。すなわち、この光線路２０では、双方向通信を行うことが可能である。
【００３３】
例えば、下り信号光としては、波長が１４９０ｎｍの信号光が用いられ、上り信号光としては、波長が１３１０ｎｍの信号光が用いられる。このように、下り信号光と上り信号光とで波長を異ならせることにより、１本の光線路２０で下り信号光と上り信号光とを同時に伝送することが可能となる。
【００３４】
（光線路監視システム５０）
光線路監視システム５０は、このように構成された光線路２０の障害を監視するシステムである。図１に示すように、光線路監視システム５０は、光線路監視装置１００、ＯＴＤＲ１１０、ＷＤＭ（Wavelength Division Multiplexing：波長多重）フィルタ１１５、およびフィルタ１３０を備えて構成されている。なお、ＷＤＭフィルタ１１５のフィルタ特性が悪い場合、監視光が上り信号光に混ざることを防ぐため、上り側の入出力ポートには監視光の波長を遮断するカットフィルタ（不図示）が挿入されることがある。この場合、このカットフィルタとＷＤＭフィルタ１１５とを一体化したモジュールを光カプラモジュールと呼ぶことがある。
【００３５】
ＯＴＤＲ１１０は、監視光を光線路２０に対して送出するとともに、この監視光が光線路２０において散乱または反射されることによって生じる戻り光の強度を測定する、いわゆる光パルス試験器である。
【００３６】
ＯＴＤＲ１１０は、レーザダイオード等の光源を備えており、この光源から発せられた監視光を、入出力ポートから出力する。監視光としては、信号光（下り信号光と上り信号光）とは波長が異なる光が用いられる。本実施形態では、監視光として、波長が１６５０ｎｍのパルス光が用いられる。
【００３７】
また、ＯＴＤＲ１１０は、フォトダイオード等の受光素子を備えており、この受光素子によって、入出力ポートから入力された戻り光を受光し、その強度に応じた値を有する電気信号を生成する。そして、ＯＴＤＲ１１０は、この電気信号をサンプリングすることによって、各時刻における戻り光の強度を示す時系列データ（以下、「測定データ」と示す。）を生成し、この測定データを外部（光線路監視装置１００）に出力する。
【００３８】
ＯＴＤＲ１１０の入出力ポートは、光線路２０ａ上に設けられているＷＤＭフィルタ１１５の分岐ポートに光接続されている。本実施形態では、ＷＤＭフィルタ１１５として、信号光（１３１０ｎｍおよび１４９０ｎｍ）を透過し、かつ下り側の入出力ポートから入力された監視光（１６５０ｎｍ）を分岐ポートから分岐する誘電体多層膜フィルタ（ショートパスフィルタ）を用いているが、同様の機能を有するものであれば、ＷＤＭカプラ等、これ以外のものも採用し得る。
【００３９】
ＯＴＤＲ１１０から出力された監視光は、ＷＤＭフィルタ１１５の分岐ポートから、当該ＷＤＭフィルタ１１５へ入力され、当該ＷＤＭフィルタ１１５の下り側の入出力ポートから、当該入出力ポートに接続された光線路２０ａの下り方向に送出される。
【００４０】
光線路２０ａに送出された監視光は、光線路２０ａの終端に接続された光スプリッタ３０へ入力され、当該光スプリッタ３０によって多分岐され、光線路２０ｂの各々に対して送出される。これにより、複数の光線路２０ｂの各々において、戻り光（すなわち、反射光や後方散乱光）が生じる。
【００４１】
複数の光線路２０ｂの各々の終端には、フィルタ１３０が設けられている。フィルタ１３０は、光線路２０を伝送される信号光を透過し、光線路２０ｂを伝送されてきた監視光をカットおよび反射するように構成されている。これにより、複数の光線路２０ｂの各々の終端に向けて送出される。このため、複数の光線路２０ｂの各々において、フィルタ１３０による監視光の反射が生じることとなる。
【００４２】
本実施形態では、フィルタ１３０として、信号光（１３１０ｎｍおよび１４９０ｎｍ）を透過し、かつ監視光（１６５０ｎｍ）をカットし、かつこの監視光（１６５０ｎｍ）を高反射するファイバーブラッググレーティング（Fiber Bragg Grating：ＦＢＧ）を用いているが、同様の機能を有するものであれば、誘電体多層膜フィルタ等、これ以外のものも採用し得る。
【００４３】
ここで、光スプリッタ３０からの、複数の光線路２０ｂの各々の終端まで（すなわち、フィルタ１３０まで）の光路長は、最低限ＯＴＤＲ１１０の分解能により識別可能な程度に互いに異なっている。例えば、光線路２０ｂの終端までの光路長は、少なくとも３０ｃｍ〜１ｍ程度、複数の光線路２０ｂで互いに異なっていればよい。
【００４４】
複数の光線路２０ｂの各々の戻り光は、上記した監視光の伝搬ルートとは逆ルートを辿って、ＯＴＤＲ１１０へ入力される。これに応じて、ＯＴＤＲ１１０は、複数の光線路２０ｂの各々で生じた戻り光の強度を測定することが可能となっている。
【００４５】
特に、複数の光線路２０ｂの各々で生じた戻り光は、光スプリッタ３０を介してＯＴＤＲ１１０に届く。このため、複数の光線路２０ｂの各々で生じた戻り光は、光スプリッタ３０によって合波されることとなる。ＯＴＤＲ１１０は、この合波された戻り光を受光することによって、その強度を時系列に示す測定データを生成し、この測定データを光線路監視装置１００に対して出力することとなる。
【００４６】
ここで、ＯＴＤＲ１１０は、任意の分解能で、上記測定処理を行うことができる。例えば、ＯＴＤＲ１１０は、パルス幅を１００ｎｓとする分解能（第１の分解能）で、上記測定処理を行うことができ、パルス幅を３ｎｓとする分解能（第２の分解能）で、上記測定処理を行うことができる。
【００４７】
また、ＯＴＤＲ１１０は、光線路２０の任意の一部の区間を測定対象区間とし、この測定対象区間に対して、上記測定処理を部分的に行うことができる。例えば、ＯＴＤＲ１１０は、光線路２０ａを測定対象区間とし、この測定対象区間に対して、上記測定処理を部分的に行うことができる。また、ＯＴＤＲ１１０は、複数の光線路２０ｂの各々を測定対象区間とし、この測定対象区間に対して、上記測定処理を部分的に行うことができる。
【００４８】
また、ＯＴＤＲ１１０は、光線路２０の任意の位置を測定対象位置とし、この測定対象位置に対して、上記測定処理を部分的に行うことができる。例えば、ＯＴＤＲ１１０は、複数の光線路２０ｂの各々のフィルタ１３０の位置を測定対象位置とし、この測定対象位置に対して、上記測定処理を部分的に行うことができる。
【００４９】
「部分的に測定する」とは、受光素子からの電気信号のうち、測定対象区間または測定対象位置に応じた時刻に対応する電気信号を部分的にサンプリングすることによって、その測定対象区間または測定対象位置において生じた戻り光の強度を示す測定データを生成し、この測定データを外部（光線路監視装置１００）に出力することを意味する。
【００５０】
ＯＴＤＲ１１０は、このように部分的に測定処理を行うことで、不要な区間の測定処理を省略することができ、必要な区間（測定対象区間または測定対象位置）の測定処理を短時間で行うことが可能となっている。
【００５１】
ここで、第２の分解能での測定処理は、検出精度に関しては、第１分解能での測定処理よりも優れるが、処理速度に関しては、第１分解能での測定処理よりも劣る。
【００５２】
光スプリッタ３０は、光線路上に１つしか設けられていないため、その分解能が低くても、測定データにおいて、複数の光スプリッタの波形が重なることはない。このため、光スプリッタ３０を検出する処理には、高い分解能を必要としない。
【００５３】
一方、フィルタ１３０は、光線路上に複数設けられているため、その分解能が低いと、測定データにおいて、複数のフィルタ１３０の波形が重なる可能性がある。このため、フィルタ１３０を検出する処理には、高い分解能を必要とする。
【００５４】
そこで、本実施形態の光線路監視システム５０では、光スプリッタ３０を検出する処理には、第１の分解能での測定処理を用いて、その処理時間を短縮している。一方、フィルタ１３０を検出する処理および障害を検出する処理には、第２の分解能での測定処理を用いて、その検出精度を高めつつ、その測定対象を光線路の一部の区間または一部の位置に限定することにより、その処理時間を短縮している。
【００５５】
（光線路監視装置１００）
光線路監視装置１００は、ＯＴＤＲ１１０から出力された測定データに基づいて光線路２０における障害を検出する。例えば、光線路監視装置１００には、ＰＣやサーバ等のいわゆるコンピュータ装置が用いられる。
【００５６】
光線路監視装置１００は、ＯＴＤＲ１１０と通信接続されており、ＯＴＤＲ１１０と互いに通信することができる。光線路監視装置１００は、この通信を行うことにより、上述した測定処理の実行をＯＴＤＲ１１０に指示したり、ＯＴＤＲ１１０から出力された測定データを受信したりすることができる。
【００５７】
また、光線路監視装置１００は、測定処理の際に適用する分解能や、測定対象区間または測定対象位置を、ＯＴＤＲ１１０に指示することもできる。これにより、光線路監視装置１００は、任意の分解能で測定された任意の区間の測定データをＯＴＤＲ１１０から得ることができる。
【００５８】
光線路監視装置１００が実行する処理には、（１）初期設定処理、（２）第１の障害検出処理、（３）第２の障害検出処理、および（４）障害通知処理が含まれる。
【００５９】
（１）初期設定処理
初期設定処理は、ＯＴＤＲ１１０から出力された測定データに基づいて初期設定を行う処理である。例えば、光線路監視装置１００は、初期設定処理により、後の障害検出処理に必要な、光スプリッタ３０の位置、光フィルタ１３０の位置、および障害の判定基準値を決定する。
【００６０】
（２）第１の障害検出処理
第１の障害検出処理は、ＯＴＤＲ１１０から出力された測定データに基づいて光線路２０ｂにおける障害を検出する処理である。
【００６１】
例えば、上記測定データには、光線路２０ｂの終端位置（すなわち、フィルタ１３０までの光路長）に応じた時刻に、その終端位置で生じた反射光の強度のピーク値（以下、「反射ピーク」と示す。）が現れる。特に、上記測定データは、複数の光線路２０ｂで生じた戻り光が合波されたものの測定値を示しているから、上記測定データには、複数の光線路２０ｂの各々の反射ピークが現れる。
【００６２】
光線路２０ｂにおいて、伝送路断などの障害が発生していない場合は、この反射ピークに変化は生じない。一方、光線路２０ｂにおいて、伝送路断などの障害が発生した場合、フィルタ１３０によって生じる反射光の強度が弱まるため、当然、測定データにおいても、その反射ピークに変化が生じることとなる。
【００６３】
そこで、本実施形態の光線路監視装置１００は、第１の障害検出処理において、測定データにおける各光線路２０ｂの反射ピークを監視することにより、各光線路２０ｂにおける障害を検出することが可能となっている。
【００６４】
（３）第２の障害検出処理
第２の障害検出処理は、ＯＴＤＲ１１０から出力された測定データに基づいて光線路２０ａにおける障害を検出する処理である。
【００６５】
例えば、上記測定データには、光線路２０ａの位置（すなわち、光スプリッタ３０までの光路長）に応じた時刻に、光スプリッタ３０によって生じた反射や挿入損失等の、光スプリッタ３０固有の光強度特性が現れる。
【００６６】
光線路２０ａにおいて、伝送路断などの障害が発生していない場合は、この光強度特性に変化は生じない。一方、光線路２０ａにおいて、伝送路断などの障害が発生した場合、光スプリッタ３０まで監視光が届かなかったり、光スプリッタ３０によって生じる反射光の強度が弱まったりするため、当然、測定データにおいても、光スプリッタ３０の光強度特性に変化が生じることとなる。
【００６７】
そこで、本実施形態の光線路監視装置１００は、第２の障害検出処理において、測定データにおける光スプリッタ３０の光強度特性を監視することにより、光線路２０ａにおける障害を検出することが可能となっている。
【００６８】
（４）障害通知処理
光線路監視装置１００は、ディスプレイやスピーカ等の出力デバイスに接続されている。これにより、光線路監視装置１００は、第１の障害検出処理または第２の障害検出処理によって光線路２０の障害を検出した場合、この障害をユーザに通知することが可能となっている。
【００６９】
次に、図２を参照して、本実施形態に係る光線路監視装置１００の機能構成について説明する。図２は、実施形態に係る光線路監視装置１００の機能構成を示すブロック図である。図２に示すように、光線路監視装置１００は、制御部２１０、測定データ取得部２１２、記憶部２１６、分岐位置検出部２２０、分岐位置情報登録部２２２、終端位置検出部２２４、終端位置情報登録部２２６、障害検出部２３０、および通知部２４０を備えている。
【００７０】
（制御部２１０）
制御部２１０は、光線路監視装置１００の各部を制御するとともに、ＯＴＤＲ１１０との通信を介してＯＴＤＲ１１０を制御する。例えば、制御部２１０は、ＯＴＤＲ１１０に対して、測定処理の実行を指示する。
【００７１】
このとき、制御部２１０は、ＯＴＤＲ１１０が測定処理を実行する際に適用する分解能（第１の分解能または第２の分解能）を、ＯＴＤＲ１１０に対して指示することができる。
【００７２】
また、制御部２１０は、ＯＴＤＲ１１０が測定処理を実行する際に適用する測定対象区間（光線路２０ａまたは光線路２０ｂ）を、ＯＴＤＲ１１０に対して指示することができる。
【００７３】
さらに、制御部２１０は、ＯＴＤＲ１１０が測定処理を実行する際に適用する測定対象位置（光線路２０ｂの終端位置）を、ＯＴＤＲ１１０に対して指示することができる。
【００７４】
（測定データ取得部２１２）
測定データ取得部２１２は、ＯＴＤＲ１１０から出力された測定データを取得する。また、１つの測定データには、監視光を構成する１つのパルスにより生じた戻り光の強度の時系列が含まれているものとする。
【００７５】
既に説明したとおり、ＯＴＤＲ１１０は、光線路２０ａを測定対象区間とし、この測定対象区間に対して、上記測定処理を部分的に行うことができる。この場合、ＯＴＤＲ１１０から出力された測定データは、光線路２０ａについての、上記戻り光の強度の時系列が含まれたものとなる。
【００７６】
また、ＯＴＤＲ１１０は、各光線路２０ｂを測定対象区間とし、この測定対象区間に対して、上記測定処理を部分的に行うことができる。この場合、ＯＴＤＲ１１０から出力された測定データには、各光線路２０ｂについての、上記戻り光の強度の時系列が含まれたものとなる。
【００７７】
また、ＯＴＤＲ１１０は、各光線路２０ｂの終端位置を測定対象位置とし、この測定対象位置に対して、上記測定処理を部分的に行うことができる。この場合、ＯＴＤＲ１１０から出力された測定データには、各光線路２０ｂの終端位置についての、上記戻り光の強度が含まれたものとなる。
【００７８】
（分岐位置検出部２２０、分岐位置情報登録部２２２）
分岐位置検出部２２０は、測定データ取得部２１２によって取得された測定データに基づいて、光スプリッタ３０の位置を検出する。これに応じて、分岐位置情報登録部２２２は、検出された光スプリッタ３０の位置を、分岐位置情報として記憶部２１６に登録する。同時に、分岐位置検出部２２０は、測定データ取得部２１２によって取得された測定データを、第２の障害検出処理のための基準データとして記憶部２１６に登録する。
【００７９】
（終端位置検出部２２４、終端位置情報登録部２２６）
終端位置検出部２２４は、測定データ取得部２１２によって取得された測定データに基づいて、各フィルタ１３０の位置（すなわち、各光線路２０ｂの終端位置）を検出する。これに応じて、終端位置情報登録部２２６は、検出された各フィルタ１３０の位置、および各フィルタ１３０の位置における反射光の強度（上記測定データに示されているもの）を、終端位置情報として記憶部２１６に登録する。
【００８０】
（障害検出部２３０）
障害検出部２３０は、第１障害検出部２３２および第２障害検出部２３４を有する。第１障害検出部２３２は、第１の障害検出処理において、各光線路２０ｂにおける障害を検出する。第２障害検出部２３４は、第２の障害検出処理において、光線路２０ａにおける障害を検出する。
【００８１】
具体的には、第１障害検出部２３２は、ＯＴＤＲ１１０から出力された測定データのうち、光スプリッタ３０以後の区間（すなわち、光線路２０ｂ）についての測定データを参照し、この測定データに基づいて、各光線路２０ｂにおける障害を検出する。
【００８２】
一方、第２障害検出部２３４は、ＯＴＤＲ１１０から出力された測定データのうち、光スプリッタ３０以前の区間（すなわち、光線路２０ａ）についての測定データを参照し、この測定データに基づいて、光線路２０ａにおける障害を検出する。
【００８３】
第１障害検出部２３２および第２障害検出部２３４は、測定対象区間を設定するために、光スプリッタ３０の位置を知る必要があるが、記憶部２１６に登録されている分岐位置情報を参照することで、この光スプリッタの位置を知ることができる。
【００８４】
また、第１障害検出部２３２は、各光線路２０ｂにおける障害を検出するために、各フィルタ１３０の位置、および各フィルタ１３０の位置の反射ピークの基準値を知る必要があるが、記憶部２１６に登録されている終端位置情報を参照することで、この位置および基準値を知ることができる。
【００８５】
また、第２障害検出部２３４は、光線路２０ａにおける障害を検出するために、その判定基準値を知る必要があるが、記憶部２１６に登録されている基準データを参照することで、この判定基準値を知ることができる。
【００８６】
（通知部２４０）
通知部２４０は、障害検出部２３０によって検出された障害に関する障害情報を出力することにより、この障害をユーザに通知する。例えば、通知部２４０は、障害情報をディスプレイに表示する。通知部２４０は、警告音をスピーカから発したり、障害情報を電子メール等により所定の端末へ送信したりすることもできる。
【００８７】
次に、図３を参照して、光線路監視装置１００による処理の手順を説明する。図３は、光線路監視装置１００による処理（初期設定処理、第２の障害検出処理、および第１の障害検出処理、障害通知処理）の手順を示すフローチャートである。
【００８８】
（初期設定処理）
まず、制御部２１０が、ＯＴＤＲ１１０に対し、光線路２０に対する第１の分解能（パルス幅：１００ｎｓ）での測定処理の実行を指示する（ステップＳ３０２）。この指示に従い、ＯＴＤＲ１１０は、光線路２０に対する第１の分解能での測定処理を行い、その測定結果を示す測定データを出力する。これに応じて、測定データ取得部２１２が、ＯＴＤＲ１１０から出力された測定データを取得する（ステップＳ３０４）。
【００８９】
そして、分岐位置検出部２２０が、ステップＳ３０４で取得された測定データに基づいて、光スプリッタ３０の位置を検出する（ステップＳ３０６）。これに応じて、分岐位置情報登録部２２２が、ステップＳ３０６で検出された光スプリッタ３０の位置を、分岐位置情報として記憶部２１６に登録する（ステップＳ３０８）。同時に、分岐位置情報登録部２２２は、ステップＳ３０４で取得された測定データを基準データとして記憶部２１６に登録する。
【００９０】
続いて、制御部２１０が、ＯＴＤＲ１１０に対し、各光線路２０ｂに対する第２の分解能（パルス幅：３ｎｓ）での測定処理の実行を指示する（ステップＳ３１０）。このとき、制御部２１０は、ステップＳ３０６で検出された光スプリッタ３０の位置よりも後方に２０ｍ離間した位置を測定対象区間の始点として指示する。この指示に従い、ＯＴＤＲ１１０は、光線路２０ｂに対する第２の分解能での上記始点からの測定処理を行い、その測定結果を示す測定データを出力する。これに応じて、測定データ取得部２１２が、ＯＴＤＲ１１０から出力された測定データを取得する（ステップＳ３１２）。
【００９１】
そして、終端位置検出部２２４が、ステップＳ３１２で取得された測定データに基づいて、各フィルタ１３０の位置を検出する（ステップＳ３１４）。これに応じて、終端位置情報登録部２２６が、ステップＳ３１４で検出された各フィルタ１３０の位置、および各フィルタ１３０の位置の反射ピーク（ステップＳ３１２で取得された測定データに示されているもの）を、終端位置情報として記憶部２１６に登録する（ステップＳ３１６）。
【００９２】
（第１の障害検出処理）
初期設定処理が完了すると、制御部２１０が、ＯＴＤＲ１１０に対し、各フィルタ１３０の位置に対する第２の分解能（パルス幅：３ｎｓ）での部分的かつ継続的な測定処理の実行を指示する（ステップＳ３１８）。この指示に従い、ＯＴＤＲ１１０は、各フィルタ１３０の位置に対する第２の分解能での測定処理を部分的かつ継続的に行い、その都度、その測定結果を示す測定データを出力する。これに応じて、測定データ取得部２１２が、ＯＴＤＲ１１０から出力された測定データを取得する（ステップＳ３２０）。
【００９３】
そして、第１障害検出部２３２が、ステップＳ３２０で取得された測定データに基づいて、各フィルタ１３０の位置について、反射ピークが閾値以上低下しているか否かを判断する（ステップＳ３２２）。
【００９４】
各フィルタ１３０の位置における反射光ピークの基準値は、ステップＳ３１６によって記憶部２１６に登録されているため、第１障害検出部２３２は、ステップＳ３２０で取得された測定データにおける各フィルタ１３０の位置の反射ピークと、記憶部２１６に登録されている各フィルタ１３０の位置における反射ピークの基準値とを比較することにより、各フィルタ１３０の位置における反射ピークが閾値以上低下しているか否かを判断することができる。
【００９５】
ステップＳ３２２において、フィルタ１３０の位置のいずれにおいても、“反射ピークが閾値以上低下していない”と判断された場合（ステップＳ３２２：Ｎｏ）、光線路監視装置１００は、処理をステップＳ３２０へ戻す。
【００９６】
（障害通知処理）
一方、ステップＳ３２２において、フィルタ１３０の位置のいずれかにおいて、“反射ピークが閾値以上低下している”と判断された場合（ステップＳ３２２：Ｙｅｓ）であって、全てのフィルタ１３０の位置において“反射ピークが閾値以上低下している”と判断されていない場合（ステップＳ３２４：Ｎｏ）、通知部２４０が、“反射ピークが閾値以上低下している”と判断されたフィルタ１３０が設けられている光線路２０ｂに関する障害情報を出力する（ステップＳ３２６）。そして、光線路監視装置１００は、処理をステップＳ３２０へ戻す。
【００９７】
（第２の障害検出処理）
一方、全てのフィルタ１３０の位置において、“反射ピークが閾値以上低下している”と判断された場合（ステップＳ３２４：Ｙｅｓ）、制御部２１０が、ＯＴＤＲ１１０に対し、光線路２０ａに対する測定処理の実行を指示する（ステップＳ３２８）。このとき、制御部２１０は、第１の分解能（パルス幅：１００ｎｓ）での測定処理を指示してもよく、より高精度で障害を検出したい場合は、第２の分解能（パルス幅：３ｎｓ）での測定処理を指示してもよい。
【００９８】
この指示に従い、ＯＴＤＲ１１０は、光線路２０ａに対する測定処理を行い、その測定結果を示す測定データを出力する。これに応じて、測定データ取得部２１２が、ＯＴＤＲ１１０から出力された測定データを取得する（ステップＳ３３０）。
【００９９】
そして、第２障害検出部２３４が、ステップＳ３３０で取得された測定データに基づいて、光線路２０ａにおける障害を検出する（ステップＳ３３２）。
【０１００】
（障害通知処理）
そして、通知部２４０が、光線路２０ａにおける障害に関する障害情報を出力して（ステップＳ３３４）、光線路監視装置１００は、処理をステップＳ３２０へ戻す。
【０１０１】
上記手順によれば、光線路監視装置１００は、光線路２０ｂに対する第１の障害検出処理をリアルタイムに行うことができる（ステップＳ３２０〜Ｓ３２６）。そして、光線路監視装置１００は、この第１の障害検出処理によって光線路２０ａに障害が発生したことを検出することもできる。さらに、光線路監視装置１００は、光線路２０ａに障害が発生した場合には、光線路２０ａに対する第２の障害検出処理を直ぐに実行することができる（ステップＳ３２８〜Ｓ３３４）。
【０１０２】
なお、本実施形態の光線路監視装置１００は、第２の障害検出処理を、定期的に行うことも可能である。これにより、光線路監視装置１００は、仮に第１の障害検出処理では看過されてしまうような障害が光線路２０ａに発生した場合であっても、この障害を検出することが可能となっている。なお、第１の障害検出処理を実行する周期は、例えば１日毎に１回、第２の障害検出処理を１０回行う毎に１回など、ユーザが任意に指定することができる。
【０１０３】
（光スプリッタ以後の区間の測定データの一例）
次に、図４を参照して、光スプリッタ以後の区間の測定データの一例について説明する。図４は、実施形態に係るＯＴＤＲ１１０から出力された、光スプリッタ以後の区間の測定データの一例を示すグラフである。図４において、横軸は、時刻（監視光を送出してからの経過時間）を表し、縦軸は、戻り光の強度を表す。
【０１０４】
図４において、点線で示された測定データ４０２は、初期設定処理において得られる正常な測定データの例であり、実線で示された測定データ４０４は、第１の障害検出処理において得られる異常な測定データの例である。いずれも、ＯＴＤＲ１１０が各光線路２０ｂを第２の分解能で部分的に測定した結果、ＯＴＤＲ１１０から出力された測定データである。
【０１０５】
ここで、複数の光線路２０ｂの戻り光は光スプリッタ３０によって合波されるため、各測定データは、この合波された戻り光の強度を示すものとなっている。しかしながら、光伝送システム１０では、各光線路２０ｂの光路長を互いに異ならせているため、各測定データにおいては、各光線路２０ｂの反射ピークが、互いに異なる時刻に現れている。
【０１０６】
例えば、図４に示す例では、測定データ４０２，４０４のいずれにおいても、ある一の光線路２０ｂの光路長に応じた時刻ｔＡに、その光線路２０ｂの反射ピークが現れており、他の光線路２０ｂの光路長に応じた時刻ｔＢに、その光線路２０ｂの反射ピークが現れている。ここでは、２つの光線路２０ｂの反射ピークのみを例示しているが、実際には、各測定データには、より多くの光線路２０ｂの反射ピークが含まれている。
【０１０７】
既に説明したとおり、光線路監視装置１００は、初期設定処理において得られた測定データ４０２における反射ピークの強度ｈＡ，ｈＢと、障害検出処理において得られた測定データ４０４の時刻ｔＡ，ｔＢにおける値ｈＡ’，ｈＢ’とを比較することにより、光線路２０における障害を検出する。
【０１０８】
図４に示す例において、測定データ４０４の時刻ｔＡにおける値ｈＡ’は、測定データ４０２における反射ピークの強度ｈＡと略同一である。このことから、光線路監視装置１００は、上記一の光線路２０ｂにおいて、“障害が発生していない”と判断することができる。
【０１０９】
一方、図４に示す例において、測定データ４０４の時刻ｔＢにおける値ｈＢ’は、測定データ４０２における反射ピークの強度ｈＢよりも小さい。両者の差をｄ＝ｈＢ−ｈＢ’とし、予め定められた閾値Ｔｈを１ｄＢとすると、光線路監視装置１００は、差ｄが１ｄＢ以上である場合、上記他の光線路２０ｂにおいて、“障害が発生している”と判断することができる。
【０１１０】
このように、光線路監視システム１０における第１の障害検出処理は、予め設定された時刻ｔＡ，ｔＢにおける戻り光の強度ｈＡ’，ｈＢ’を、予め設定された反射ピークの強度ｈＡ，ｈＢと比較することにより実現される。この際、時刻ｔＡ，ｔＢにおける戻り光の強度ｈＡ’，ｈＢ’は、上述したように、１つの測定データから特定される。このため、各障害検出処理は、ごく短時間で完了する。これにより、第１の障害検出処理を短い間隔で繰り返し実行することができるので、光線路２０のリアルタイムな監視を実現することが可能になる。
【０１１１】
さらに、時刻ｔＡ，ｔＢにおける戻り光の強度ｈＡ’，ｈＢ’は、上述したように、測定の度に変化することがない。したがって、各第１の障害検出処理は、ごく短時間で完了するにも関わらず、正確である。
【０１１２】
（光スプリッタ以前の区間の測定データの一例）
次に、図５を参照して、光スプリッタ以前の区間の測定データの一例について説明する。図５は、実施形態に係るＯＴＤＲ１１０から出力された、光スプリッタ以前の区間の測定データの一例を示すグラフである。図５において、横軸は、時刻（監視光を送出してからの経過時間）を表し、縦軸は、戻り光の強度を表す。
【０１１３】
図５において、点線で示された測定データ５０２は、初期設定処理において得られる正常な測定データの例であり、実線で示された測定データ５０４は、第２の障害検出処理において得られる異常な測定データの例である。いずれも、ＯＴＤＲ１１０が光線路２０ａを部分的に測定した結果、ＯＴＤＲ１１０から出力された測定データである。
【０１１４】
初期設定処理では、光線路監視装置１００は、当該初期設定処理において得られた測定データ５０２から、光スプリッタ３０の位置を検出する。例えば、図５に示す例において、測定データ５０２には、時刻ｔＣに、光スプリッタ３０固有の光強度特性が生じている。光伝送路２０ａを伝搬されてきた監視光には、光スプリッタ３０によって、反射および損失が生じる。
【０１１５】
具体的には、上記監視光には、光スプリッタ３０による挿入損失が生じる。また、光スプリッタ３０の枝線側の入出力ポートに空きが生じている場合には、上記監視光の反射が生じる。したがって、光線路監視装置１００は、測定データ５０２において、このような光スプリッタ３０の反射および挿入損失による、光スプリッタ３０固有の光強度特性が生じた時刻を検索し、検索された時刻に対応する位置を光スプリッタ３０の位置として検出することができる。この場合、光線路監視装置１００は、監視光を送出した時刻から上記光強度特性が生じた時刻までの時間と、監視光の伝搬速度（すなわち、光速）とに基づいて、光スプリッタ３０の位置（光スプリッタ３０までの光路長）を容易に求めることができる。
【０１１６】
第２の障害検出処理では、光線路監視装置１００は、初期設定処理において得られた測定データ５０２と、第２の障害検出処理において得られた測定データ５０４とを比較することにより、光線路２０ａにおける障害を検出する。
【０１１７】
例えば、光線路監視装置１００は、測定データ５０２の時刻ｔＣにおける反射ピークの強度ｈＣと、測定データ５０４の時刻ｔＣにおける値ｈＣ’とを比較することにより、光線路２０ａにおける障害の有無を検出する。
【０１１８】
図５に示す例において、測定データ５０４の時刻ｔＣにおける値ｈＣ’は、測定データ５０２における反射ピークの強度ｈＣよりも低下している。両者の差をｄ２＝ｈＣ−ｈＣ’とし、予め定められた閾値Ｔｈを１ｄＢとすると、光線路監視装置１００は、差ｄ２が１ｄＢ以上である場合、光線路２０ａにおいて、“障害が発生している”と判断することができる。
【０１１９】
さらに、光線路監視装置１００は、光線路２０ａにおける障害発生位置を特定することもできる。例えば、図５に示す例では、測定データ５０４において、時刻ｔＣよりも早い時刻ｔＤに、測定データ５０２には現れていない異常特性（この例では、戻り光の強度の急低下）が現れている。このことから、光線路監視装置１００は、光線路２０ａにおける時刻ｔＤに対応する位置において、“伝送路断が生じている”と判断することができる。そして、光線路監視装置１００は、監視光を送出した時刻から時刻ｔＤまでの時間と、監視光の伝搬速度（すなわち、光速）とに基づいて、障害位置（障害位置までの光路長）を容易に求めることができる。
【０１２０】
このように、光線路監視システム１０における第２の障害検出処理は、予め取得しておいた測定データと、新たに取得した最新の測定データとを比較することにより実現される。したがって、この第２の障害検出処理は、ごく短時間で完了するにも関わらず、正確である。特に、光線路２０ａに障害が発生した場合のみ、第２の障害検出処理が実行されるため、この障害が発生していないときの、光線路監視システム１０に係る処理負荷は軽減される。
【０１２１】
（各種情報の出力例）
次に、図６〜１０を参照して、光線路監視装置１００による各種情報の出力例を説明する。
【０１２２】
図６〜図１０に示す画面５００は、光線路監視装置１００に接続されたディスプレイに表示された画面であり、各種情報をユーザに通知するための画面である。この画面５００には、測定データ表示欄５１０およびメッセージ表示欄５２０が設けられている。
【０１２３】
測定データ表示欄５１０には、各種処理に用いられる測定データが、波形として表示される。メッセージ表示欄５２０には、各種処理状況や障害の発生状況などをユーザに通知するための各種メッセージが表示される。
【０１２４】
測定データ表示欄５１０には、縮小表示欄５１２と拡大表示欄５１４とが設けられている。縮小表示欄５１２には、広域の測定データが縮小表示され、拡大表示欄５１４には、狭域の測定データが拡大表示される。ユーザは、縮小表示欄５１２により、光線路２０の概況を把握することができ、拡大表示欄５１４により、光線路２０の一部の区間の詳細状況を把握することができる。
【０１２５】
ユーザは、マウスやキーボード等の入力デバイスを操作することにより、拡大表示欄５１４の拡大率を変更したり、拡大表示欄５１４に表示させる区間を自由に移動させたりすることができる。
【０１２６】
（光スプリッタの位置に関する情報の出力例）
図６および図７は、初期設定処理において光スプリッタ３０の位置が検出されたときに、光線路監視装置１００から出力される情報の一例（第１例）を示す。
【０１２７】
図６および図７に示す例では、縮小表示欄５１２に、初期設定処理において取得した測定データの広域データが表示され、拡大表示欄５１４には、この測定データの狭域データが表示されている。
【０１２８】
また、メッセージ表示欄５２０には、光スプリッタの位置が検出されたことを示すメッセージが表示されている。このメッセージには、光スプリッタ３０の位置が、光線路長によって示されている。
【０１２９】
図６では、拡大表示欄５１４に表示された測定データにおいて、光スプリッタ３０の直後に位置するフィルタ１３０の反射ピークと、光スプリッタ３０の光強度特性とが、かろうじて識別可能な程度に表されている。
【０１３０】
一方、図７では、拡大表示欄５１４には、ユーザの操作に応じて拡大率が図６よりも高められた測定データが表示されている。これにより、拡大表示欄５１４に表示された測定データにおいては、各フィルタ１３０の反射ピークと、光スプリッタ３０の光強度特性とが、より詳細に表されている。これにより、ユーザは、このように表示された測定データから、各フィルタ１３０および光スプリッタ３０とを容易に識別することが可能となっている
図６および図７に示すような表示により、ユーザは、光スプリッタ３０の位置が検出されたことや、光スプリッタ３０の位置を、視覚的に容易に把握することが可能となっている。
【０１３１】
図６および図７によると、光スプリッタ３０特有の光強度特性の第１例として、その反射によって僅かに光強度が高まった直後に、その挿入損失によって光強度が大きく低下している。このような光スプリッタ３０特有の光強度特性により、光線路監視装置１００は、測定データから、光スプリッタ３０の位置を容易に検出することができる。例えば、上記挿入損失の閾値（例えば、５ｄＢ）を予め定めておくことにより、光線路監視装置１００は、この閾値以上の上記挿入損失が上記測定データに生じた場合に、上記挿入損失の発生位置を光スプリッタ３０の位置として検出することができる。
【０１３２】
また、図７に示すように、上記光スプリッタ３０特有の光強度特性は、光線路における概ね２０ｍの範囲内に表れている。これに応じて、光線路監視装置１００は、光スプリッタ３０の位置よりも後方に２０ｍ離間した位置を測定対象区間の始点として指示する。これにより、光線路監視装置１００は、光スプリッタ３０を障害やフィルタ１３０等として誤って認識してしまう等の誤判断を防ぐことを可能としている。
【０１３３】
このように光スプリッタ３０の位置が検出されると、その後、光線路監視装置１００は、測定対象区間を決定し、当該測定対象区間に対する高分解能（第２の分解能）での部分的かつ継続的な測定処理を行う。例えば、光線路監視装置１００は、以下手順により、測定対象区間を決定する。
【０１３４】
（１）上記測定対象区間の始点から、予め定められた距離（例えば、１ｋｍ）までを仮の測定対象区間とする。
【０１３５】
（２）仮の測定対象区間内に、予め定められたピーク検出レベル（例えば、２６ｄＢ）を超えるピークが含まれている場合には、仮の測定対象区間を、真の測定対象区間とする。
【０１３６】
（３）仮の測定区間内に上記ピーク検出レベルを超えるピークが含まれていない場合、または、仮の測定区間以外にも上記ピーク検出レベルを超えるピークが含まれている場合には、上記始点を固定したまま、仮の測定対象区間を徐々（例えば、２ｋｍ、５ｋｍ）に拡大し、都度、上記（２）を再度行う。
【０１３７】
上記手順（１）〜（３）により、光線路監視装置１００は、適切な距離の測定対象区間を効率的に決定することができる。例えば、図７は、上記手順（１）〜（３）により、上記始点から２ｋｍ地点までが測定対象区間として決定された後、この測定対象区間だけでなく光スプリッタ３０特有の光強度特性も表示するために、上記測定対象区間から光スプリッタ３０側に若干シフトされた区間における測定データが拡大表示欄５１４に表示された例を示している。なお、上記ピーク検出レベルは、スプリッタの分岐数等に応じて、予め適切な値が設定され得る。
【０１３８】
なお、ユーザは、入力デバイスを操作することにより、光スプリッタ３０の位置（光線路監視装置１００によって認識された位置）を示す値を調整したり、光線路上の任意の位置を光スプリッタ３０の位置として登録したりすることができる。
【０１３９】
（光スプリッタの位置に関する情報の出力例）
図８は、初期設定処理において各光線路２０ｂのフィルタ１３０の位置が検出されたときに、光線路監視装置１００から出力される情報の一例を示す。
【０１４０】
図８に示す例では、縮小表示欄５１２に、初期設定処理において取得した光線路２０ｂの測定データの広域データが表示され、拡大表示欄５１４には、この測定データの狭域データが表示されている。
【０１４１】
また、メッセージ表示欄５２０には、各光線路２０ｂのフィルタ１３０の位置が検出されたことを示すメッセージが表示されている。このメッセージには、各光線路２０ｂのフィルタ１３０の位置が、光線路長によって示されている。
【０１４２】
このような表示により、ユーザは、各光線路２０ｂのフィルタ１３０の位置が検出されたことや、各光線路２０ｂのフィルタ１３０の位置を、視覚的に容易に把握することが可能となっている。
【０１４３】
なお、ユーザは、各光線路２０ｂに対して、任意の名称を付与することできる。例えば、図８に示す例では、検出された６つのフィルタ１３０に対応する６つの光線路２０ｂの各々に対して、「ＯＮＵ１」，「ＯＮＵ２」，「ＯＮＵ３」，「ＯＮＵ４」，「ＯＮＵ５」，「ＯＮＵ６」が、名称として付与されている。以降、光線路監視装置１００から出力される各種情報においては、この名称によって各光線路２０ｂが識別される。
【０１４４】
また、ユーザは、入力デバイスを操作することにより、フィルタ１３０の位置（光線路監視装置１００によって認識された位置）を示す値を調整したり、光線路上の任意の位置をフィルタ１３０の位置として登録したり、不要なフィルタ１３０の位置を削除したりすることができる。
【０１４５】
（障害情報の出力例）
図９は、第１の障害検出処理において光線路２０ｂの障害が検出されたときに、光線路監視装置１００から出力される障害情報の一例を示す。図１０は、第２の障害検出処理において光線路２０ａの障害が検出されたときに、光線路監視装置１００から出力される障害情報の一例を示す。
【０１４６】
図９に示す例では、縮小表示欄５１２には、初期設定処理において取得した光線路２０ｂの測定データ（以下、「基準データ」と示す。）の広域データと、第１の障害検出処理において取得した光線路２０ｂの測定データ（以下、「測定データ」と示す。）の広域データとが、重ねて表示されている。
【０１４７】
また、拡大表示欄５１４には、上記基準データの狭域データと、上記測定データの狭域データとが、重ねて表示されている。
【０１４８】
図９に示す例では、上記基準データが点線で示されており、上記測定データが実線で示されているが、実際には、両データが互いに異なる色で表示されている。
【０１４９】
また、メッセージ表示欄５２０には、各光線路２０ｂに関する情報が表示されている。この情報には、光線路長（「Total Length」）、反射ピークの測定値および基準値（「ONU Level」）、障害判定処理の判定結果（「Result」）等が含まれている。
【０１５０】
特に、図９に示す例では、名称として「ＯＮＵ５」が付与された光線路２０ｂにおいて障害が発生した状態を示している。
【０１５１】
例えば、メッセージ表示欄５２０においては、この光線路２０ｂの上記判定結果として、障害が発生したことを示す「Critical」が表示されている。また、図示は省略するが、この光線路２０ｂについてのメッセージの表示領域の背景が赤色に着色されている。
【０１５２】
また、縮小表示欄５１２および拡大表示欄５１４においては波形によって、メッセージ表示欄５２０においては数値によって、この光線路２０ｂにおける反射ピークの測定値が基準値よりも低いことが示されている。
【０１５３】
このような表示により、ユーザは、各光線路２０ｂにおける障害の有無や障害の程度を、視覚的に容易に把握することが可能となっている。
【０１５４】
図１０に示す例では、縮小表示欄５１２には、初期設定処理において取得した光線路２０ａの測定データ（以下、「基準データ」と示す。）の広域データと、第２の障害検出処理において取得した光線路２０ａの測定データ（以下、「測定データ」と示す。）の広域データとが、重ねて縮小表示されている。
【０１５５】
また、拡大表示欄５１４には、上記基準データの狭域データと、上記測定データの狭域データとが、重ねて拡大表示されている。
【０１５６】
図１０に示す例では、上記基準データが点線で示されており、上記測定データが実線で示されているが、実際には、両データが互いに異なる色で表示されている。
【０１５７】
また、メッセージ表示欄５２０には、光線路２０ａの状態に関する情報が表示されている。
【０１５８】
特に、図１０に示す例では、光線路２０ａのある地点において伝送路断の障害が発生した状態を示している。
【０１５９】
例えば、縮小表示欄５１２および拡大表示欄５１４においては、光スプリッタ３０の位置に光スプリッタ３０固有の光強度特定が現れている上記基準データの波形と、光スプリッタ３０よりも手前の位置に伝送路断の障害固有の光強度特定が現れている上記測定データの波形とが、重ねて示されている。
【０１６０】
また、メッセージ表示欄５２０においては、光線路２０ａの伝送路断が発生したこと、およびその発生位置を示すメッセージが示されている。
【０１６１】
このような表示により、ユーザは、各光線路２０ａにおける障害の有無、障害発生位置を、視覚的に容易に把握することが可能となっており、また、障害の発生事由を容易に想定することもできる。
【０１６２】
光線路監視装置１００は、光線路２０の障害を検出した場合、図９および図１０に示したような障害情報の表示に加えて、アラート音をスピーカから発したり、このような障害情報を各種通信回線（インターネット回線、電話回線、専用回線等）を介して他の端末装置へ送信したりすることが可能となっている。
【０１６３】
（光スプリッタの位置に関する情報の出力例）
次に、図１１および図１２を参照して、光スプリッタ３０特有の光強度特性の第２例を説明する。図１１および図１２は、初期設定処理において光スプリッタ３０の位置が検出されたときに、光線路監視装置１００から出力される情報の一例（第２例）を示す。
【０１６４】
この図１１および図１２によると、光スプリッタ３０特有の光強度特性の第２例として、その第１例（図６および図７参照）と異なり、その反射によって大きく光強度が高まった直後に、その挿入損失によって光強度が僅かに低下している。このような光スプリッタ３０特有の光強度特性（第２例）によっても、光線路監視装置１００は、測定データから、光スプリッタ３０の位置を容易に検出することができる。例えば、上記反射による光強度の増加量の閾値（例えば、２２ｄＢ）を予め定めておくことにより、光線路監視装置１００は、この閾値以上の上記反射による光強度の増加量が上記測定データに生じた場合に、上記反射の発生位置を光スプリッタ３０の位置として検出することができる。
【０１６５】
なお、図１２に示すように、第１例（図７参照）と同様にこの第２例においても、上記光スプリッタ３０特有の光強度特性は、光線路における概ね２０ｍの範囲内に表れている。これにより、光線路監視装置１００は、光スプリッタ３０特有の光強度特性として第１例（図７参照）および第２例（図１２参照）のいずれが生じたとしても、光スプリッタ３０を障害やフィルタ１３０等として誤って認識してしまう等の誤判断を防ぐことを可能としている。
【０１６６】
また、第１例と同様にこの第２例においても、上記のとおり光スプリッタ３０の位置が検出されると、その後、光線路監視装置１００は、第１例で説明した手順によって適切な測定対象区間を決定し、当該測定対象区間に対する高分解能（第２の分解能）での部分的かつ継続的な測定処理を行う。例えば、図１２は、第１例で説明した手順（１）〜（３）により、始点（光スプリッタ３０の位置よりも後方に２０ｍ離間した地点）から２ｋｍ地点までが、測定対象区間として決定され後、この測定対象区間だけでなく光スプリッタ３０特有の光強度特性も表示するために、上記測定対象区間から光スプリッタ３０側に若干シフトされた区間における測定データが拡大表示欄５１４に表示された例を示している。
【０１６７】
（効果）
以上説明したとおり、本実施形態の光線路監視システム５０は、第１の分解能での測定により光スプリッタ３０の位置を検出してから、当該光スプリッタ３０の位置以後の区間である各光線路２０ｂを第２の分解能で部分的に測定するため、短時間かつ高精度で、各光線路２０ｂの障害を検出することができる。
【０１６８】
また、光スプリッタ３０の位置よりも後方に所定の長さ離間した位置を測定対象区間の始点とし、当該測定対象区間の前記強度に基づいて、各光線路２０ｂの障害を検出するため、光スプリッタ３０の位置の測定値によって光スプリッタ３０の位置を障害発生位置やフィルタ１３０の位置等として誤って認識してしまう等の誤判断を防ぐことができる。
【０１６９】
また、実測データに基づいて光スプリッタ３０の位置を自動的に検出するため、ユーザによる事前設定の手間を不要としつつ、光スプリッタ３０の位置を高精度で設定することができる。
【０１７０】
また、光スプリッタ３０の位置以後の区間である各光線路２０ｂの障害だけでなく、光スプリッタの位置以前の区間である光線路２０ａの障害も検出することができる。特に、光線路２０ａの障害が発生した場合のみ、この障害を検出する処理を行うため、この障害が発生していないときの処理負荷を軽減することができる。
【０１７１】
また、フィルタ１３０によって生じた反射光の強度に基づいて光線路２０ｂの障害を検出するため、光線路２０が長距離であるがゆえに監視光の強度が減衰してしまうような場合であっても、また、光線路２０ｂのいずれの地点で障害が発生した場合でも、確実にこの障害を検出することができる。
【０１７２】
特に、実測データに基づいてフィルタ１３０の位置を自動的に検出するため、ユーザによる事前設定の手間を不要としつつ、フィルタ１３０のを高精度で設定することができる。
【０１７３】
また、全ての光線路２０ｂの反射ピークが低下した場合、これを光線路２０ｂの障害とは判断せずに、光線路２０ａの障害として判断するため、光線路２０ｂに関する障害情報を出力しない。このため、従来技術のように、光スプリッタ以前の区間で障害が発生した場合に、光スプリッタ以後の全ての区間に関するアラームが発せれられてしまうといった不具合も生じない。
【０１７４】
（プログラム、記憶媒体）
上記実施形態で説明した光線路監視装置１００の各機能は、集積回路（ＩＣチップ）上に形成された論理回路によってハードウェア的に実現してもよいし、ＣＰＵ（Central Processing Unit）を用いてソフトウェア的に実現してもよい。
【０１７５】
例えば、光線路監視装置１００は、各機能を実現するプログラムの命令を実行するＣＰＵ、上記プログラムを格納したＲＯＭ、上記プログラムを展開するＲＡＭ、上記プログラム及び各種データを格納する各種記憶装置（記録媒体）を備えている。そして、上記ＣＰＵが、上記各種記憶装置に格納されているプログラムを読み出し、このプログラムを実行することによって、光線路監視装置１００の各機能を実現することができる。
【０１７６】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ／フラッシュＲＯＭ等の半導体メモリ類、あるいはＰＬＤ（Programmable logic device）やＦＰＧＡ（Field Programmable Gate Array）等の論理回路類等を用いることができる。
【０１７７】
なお、上記プログラムは、通信ネットワークを介して光線路監視装置１００に供給されてもよい。この通信ネットワークは、少なくとも上記プログラムを光線路監視装置１００に伝送可能であればよく、その種類はどのようなものであっても良い。例えば、通信ネットワークとしては、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。
【０１７８】
また、上記プログラムを光線路監視装置１００に供給するための伝送媒体としても、どのような種類のものを利用しても良い。例えば、伝送媒体として、ＩＥＥＥ１３９４、ＵＳＢ、電力線搬送、ケーブルＴＶ回線、電話線、ＡＤＳＬ（Asymmetric Digital Subscriber Line）回線等の有線によるものを利用しても良い。また、伝送媒体として、ＩｒＤＡやリモコンのような赤外線、Ｂｌｕｅｔｏｏｔｈ（登録商標）、ＩＥＥＥ８０２１１無線、ＨＤＲ（High Data Rate）、ＮＦＣ（Near Field Communication）、ＤＬＮＡ、携帯電話網、衛星回線、地上波デジタル網等の無線によるものを利用しても良い。
【０１７９】
（補足事項）
以上、本発明に係る実施形態について説明したが、本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１８０】
例えば、実施形態では、互いに別体となっているＯＴＤＲ１１０と光線路監視装置１００とを備えているが、この代わりに、例えば、ＯＴＤＲ１１０の機能と光線路監視装置１００の機能との双方を備えた光線路監視装置またはＯＴＤＲを用いてもよい。
【０１８１】
また、実施形態では、第１の分解能による測定処理および第２の分解能による測定処理を行う１台のＯＴＤＲ１１０を設けることとしたが、第１の分解能による測定処理を行うＯＴＤＲと、第２の分解能による測定処理とを行うＯＴＤＲとを、それぞれ設ける構成としてもよい。
【０１８２】
また、実施形態では、光線路監視装置１００がＯＴＤＲ１１０に対して測定対象区間の始点を指示することができることを説明したが、光線路監視装置１００は、ＯＴＤＲ１１０に対して測定対象区間の終点を指示することもできる。これにより、例えば、各光線路２０ｂのフィルタ１３０の位置が、光スプリッタ３０から１ｋｍ以内に存在することが予め分かっている場合、光線路監視装置１００に対して、光スプリッタ３０から１ｋｍの地点を測定対象区間の終点として設定することで、ＯＴＤＲ１１０に対し、この局所的な測定対象区間の測定を行わせることができる。
【産業上の利用可能性】
【０１８３】
本発明は、インターネットやＣＡＴＶシステムなどの通信ネットワークに組み込まれる光線路を監視する光線路監視システムとして好適に利用することができる。
【符号の説明】
【０１８４】
１０    光伝送システム
１５    ＯＬＴ
２０    光線路
２０ａ    光線路（幹線）
２０ｂ    光線路（枝線）
３０    光スプリッタ
４０    ＯＮＵ
５０    光線路監視システム
１００  光線路監視装置
１１０  ＯＴＤＲ（測定手段、測定装置）
１１５  ＷＤＭフィルタ
１３０  フィルタ
２１０  制御部
２１２  測定データ取得部
２１６  記憶部
２２０  分岐位置検出部（分岐位置検出手段）
２２２  分岐位置情報登録部
２２４  終端位置検出部（終端位置検出手段）
２２６  終端位置情報登録部
２３０  障害検出部
２３２  第１障害検出部（第１の障害検出手段）
２３４  第２障害検出部（第２の障害検出手段）
２４０  通知部
【図１】
2013134138.tif 000003
【図２】
2013134138.tif 000004
【図３】
2013134138.tif 000005
【図４】
2013134138.tif 000006
【図５】
2013134138.tif 000007
【図６】
2013134138.tif 000008
【図７】
2013134138.tif 000009
【図８】
2013134138.tif 000010
【図９】
2013134138.tif 000011
【図１０】
2013134138.tif 000012
【図１１】
2013134138.tif 000013
【図１２】
2013134138.tif 000014